(57)【要約】      （修正有）【課題】構造が簡単で、操作しやすい、ニッケルめっき廃水用のインテリジェント浄化装置を提供する。【解決手段】装置の自動動作を制御するコントローラはケーシング１の側壁に固定的に取り付けられ、ケーシング１の頂部には給水管が、ケーシング１の底部には吐水管が設けられ、ケーシング１内には廃水処理モジュール５が設けられる。給水管には、検出モジュールが設けられ、硫酸導入管２が連通され、端部に第１磁石３が設けられる。検出モジュールは、給水管内の廃水のＰＨ値が要件を満たすかどうかを検出する。硫酸導入管２には、淡水導入管４が接続され、制御弁が取り付けられる。廃水処理モジュール５は廃水を浄化するために使用され、浄化ユニット６との協働で、廃水を連続的に浄化するとともに、十分な廃水処理時間を確保しながら、処理効率に影響を与えず、２回の浄化によって、水質の完全な浄化を達成し、水質汚染を防止・改善する。【選択図】図１
2020138192.tif 000002
【特許請求の範囲】
【請求項１】
ニッケルめっき廃水用のインテリジェント浄化装置であって、ケーシング（１）とコントローラを含み、前記コントローラは装置の自動動作を制御するために使用され、前記コントローラはケーシング（１）の側壁に固定的に取り付けられ、前記ケーシング（１）の頂部に給水管が設けられ、前記ケーシング（１）の底部には吐水管が設けられ、前記ケーシング（１）内に廃水処理モジュール（５）が設けられ、前記給水管に検出モジュールが設けられ、前記給水管に硫酸導入管（２）が連通され、前記給水管の端部に第１磁石（３）が設けられ、前記検出モジュールは、給水管内の廃水のＰＨ値が要件を満たすかどうかを検出するために使用され、前記硫酸導入管（２）には淡水導入管（４）が接続され、前記淡水導入管（４）に制御弁が取り付けられ、前記廃水処理モジュール（５）は廃水を浄化するために使用され、
前記廃水処理モジュール（５）は、ターンテーブル（５１）、モータ、回転軸、スライダ（５２）、固定棒および吐水ユニット（５３）を含み、前記ターンテーブル（５１）の中央部は回転軸に固着され、前記ターンテーブル（５１）において、１セットのキャビティ（５１１）が周方向に設けられ、前記回転軸は前記ケーシング（１）を貫通してモータに接続され、前記キャビティ（５１１）内にいずれも固定棒の一端が固着され、キャビティ（５１１）の外輪にいずれも給水口が設けられ、前記固定棒にいずれもばねによってスライダ（５２）に接続され、前記給水口の外輪には第１磁石（３）に磁気的に吸引される第２磁石（５４）が設けられ、弾性フィルムが給水口の内側に設けられ、前記弾性フィルムの両端は吸水口の内輪に固着され、前記吐水ユニット（５３）は、キャビティ（５１１）内に浄化された水をケーシング（１）の底部に排出するために使用される、ことを特徴とするニッケルめっき廃水用のインテリジェント浄化装置。
【請求項２】
前記吐水ユニット（５３）は、バンプ（５３１）と、ゴムブロック（５３２）と、円弧状板（５３３）とを備え、
前記キャビティ（５１１）の外輪には弧状貫通溝が設けられ、前記弧状貫通溝の両側壁にいずれもスライド溝が設けられ、前記円弧状板（５３３）の一端がばねによって片側の側壁におけるスライド溝に接続され、他端がバンプ（５３１）に固着され、前記バンプ（５３１）は、ばねによって他方の対向する側壁におけるスライド溝内に接続され、前記ターンテーブル５１の下方に固定板が設けられ、前記ゴムブロック（５３２）の下端は固定板の中央部に固着され、前記ゴムブロック（５３２）の上端面が弧状に設けられ、かつゴムブロック（５３２）の高さは右から左に向かって徐々に小さくなる、ことを特徴とする請求項１に記載のニッケルめっき廃水用のインテリジェント浄化装置。
【請求項３】
前記固定板の右側には漏水孔が設けられ、前記ケーシング（１）の底部には浄化ユニット（６）が設けられ、前記浄化ユニット（６）は、浄化ディスク（６１）、再生イオン交換樹脂フィルム（６２）、圧縮ばね、およびピラーを含み、前記浄化ディスク６１内に溝が設けられ、浄化ディスク（６１）の両端はいずれも圧縮ばねを介してケーシング（１）の底壁に接続され、前記溝の底部には再生イオン交換樹脂フィルム（６２）が着脱可能に取り付けられ、ピラーの一端はケーシング（１）の底壁に固着され、その他端は浄化ディスク（６１）の底部にヒンジ接続され、前記ケーシング（１）の底部は導管を介して淡水導入管（４）と連通する、ことを特徴とする請求項２に記載のニッケルめっき廃水用のインテリジェント浄化装置。。
【請求項４】
前記スライダ（５２）の頂部にいずれもエアバッグ（７）が固着され、前記キャビティ（５１１）の内壁には２枚の弾性吸着フィルム（８）が対称的に被覆され、前記弾性吸着フィルム（８）は、いずれも一端が前記キャビティ（５１１）の側壁に固着され、他端がスライダ（５２）に接続される、ことを特徴とする請求項１に記載のニッケルめっき廃水用のインテリジェント浄化装置。
【請求項５】
隣接するキャビティ（５１１）の側壁には直線溝（９）が設けられ、前記直線溝（９）内にいずれも弾性ロープを介して可動ブロック（１０）が接続され、前記直線溝（９）の両側の側壁にはいずれも１セットの傾斜孔が均等に分布している、ことを特徴とする請求項２に記載のニッケルめっき廃水用のインテリジェント浄化装置。
【請求項６】
前記ケーシング（１）の左側の側壁にはシリンダ（１１）が固着され、前記シリンダ（１１）の端部は吸着盤（１２）にヒンジ接続され、前記吸着盤（１２）には距離センサが設けられ、前記距離センサは、可動ブロック（１０）と吸着盤（１２）との間の距離を感知するために使用され、前記固定板の左側に回収ボックス（１３）がスライド可能に取り付けられ、前記回収ボックス（１３）の一端はケーシング（１）の外へ突き出している、ことを特徴とする請求項５に記載のニッケルめっき廃水用のインテリジェント浄化装置。
【発明の詳細な説明】
【技術分野】
【０００１】
本発明は廃水処理の技術分野に属し、特にニッケルめっき廃水用のインテリジェント浄化装置である。
【背景技術】
【０００２】
ニッケル含有廃水は排出した後に集中的に処理され、その工程において化学薬品、酸、塩基を添加して適切なｐＨ値に調整し、次いで凝集剤を添加してニッケル重金属を凝集させて沈下させることを必要とし、ニッケル含有汚泥は危険廃棄物に属するために、資格のある専門会社によって処理されなければならない。水は生物化学的処理されない限り排出することができない。
その中でも、ｐＨ値の調整が最も重要であり、ｐＨ計の反応速度が異なるために繰り返して薬品を添加して無駄使いになるとともに処理コストを増大させることがよくあり、また処理効率に影響を及ぼし、その後の処理が難しくなり、甚だしい場合に基準を達成できず、適用性も実用性も制限される。
【０００３】
ニッケル含有廃水を処理するためのいくつかの技術的解決手段もまた先行技術においても現れている。例えば、中国特許出願第２０１５２０６６３６０８２号には、フィルタおよび処理容器を含む電気ニッケルめっき廃水用のオンラインリサイクル装置を開示し、ここでは、フィルタは廃液導入管を介してリフトポンプに接続され、フィルタの頂部は導管を介して処理容器の底部に接続され、処理容器の頂部には浄水排出管が設けられ、処理容器の内壁に回転軸が設けられ、処理容器の側壁には貫通孔が設けられ、回転ネットが処理容器内に設けられ、回転ネット内にフェノール系球状樹脂系フィラーが設けられ、処理容器の外側にまた逆洗タンクが設けられ、逆洗タンクの上壁に希硫酸スプレーノズルが設けられ、逆洗タンクの一方の側壁に貫通孔に合うように可動孔が設けられ、逆洗タンクの他方の側壁に駆動軸が設けられ、逆洗タンクの側壁には、駆動軸に接続された駆動モータが設けられる。
【０００４】
この技術的解決手段は、構造が簡単で、安定性がよく、二次汚染を大幅に低減し、処理効率を改善し、処理コストダウンになり、適用性と実用性が高い。しかしながら、この技術的解決手段は、浄化効率に影響を与えずに絶えない連続的浄化を達成することができず、それと同時にフェノール系球状樹脂系列だけで水質の浄化を完全に達成することができないから、この技術的解決手段が制限される。
【先行技術文献】
【特許文献】
【０００５】
【特許文献１】中国特許出願公開第108993248号明細書
【０００６】
従来技術の欠点を補うために、本発明は、ニッケルめっき廃水用インテリジェント浄化装置を提供し、それは構造が簡単であり、操作しやすく、廃水処理モジュールおよび浄化ユニットとの協働で、廃水を連続的に浄化するとともに、十分な廃水処理時間を確保しながら、処理効率に影響を与えず、２回の浄化によって、水質の完全な浄化を達成し、水質汚染を防止・改善する。
【発明の概要】
【０００７】
【課題を解決するための手段】
【０００８】
ニッケルめっき廃水用のインテリジェント浄化装置であって、ケーシングとコントローラを含み、前記コントローラは装置の自動動作を制御するために使用され、前記コントローラはケーシングの側壁に固定的に取り付けられ、前記ケーシングの頂部に給水管が設けられ、前記ケーシングの底部には吐水管が設けられ、前記ケーシング内に廃水処理モジュールが設けられ、前記給水管に検出モジュールが設けられ、前記給水管に硫酸導入管が連通され、前記給水管の端部に第１磁石が設けられ、前記検出モジュールは、給水管内の廃水のＰＨ値が要件を満たすかどうかを検出するために使用され、前記硫酸導入管には淡水導入管が接続され、前記淡水導入管に制御弁が取り付けられ、前記廃水処理モジュールは廃水を浄化するために使用され、
【０００９】
ここの前記廃水処理モジュールは、ターンテーブル、モータ、回転軸、スライダ、固定棒および吐水ユニットを含み、前記ターンテーブルの中央部は回転軸に固着され、前記ターンテーブルにおいて、１セットのキャビティが周方向に設けられ、前記回転軸は前記ケーシングを貫通してモータに接続され、前記キャビティ内にいずれも固定棒の一端が固着され、キャビティの外輪にいずれも給水口が設けられ、前記固定棒にいずれもばねによってスライダに接続され、前記給水口の外輪には第１磁石に磁気的に吸引される第２磁石が設けられ、弾性フィルムが給水口の内側に設けられ、前記弾性フィルムの両端は吸水口の内輪に固着され、前記吐水ユニットは、キャビティ内に浄化された水をケーシングの底部に排出するために使用される。動作する時に、ニッケルめっき廃水が給水管を介してケーシングに入ると、まず、検出モジュールによってＰＨ値が所定範囲を満たすかどうかを検出し、それが満たされていない場合は、中和のために希硫酸溶液を通す必要があり、それと同時に、希硫酸溶液と廃水とが中和した後のｐＨ値が要件を満たすように、希硫酸溶液に一定量の淡水を注入することによって、希硫酸の濃度を制御し、次いで、ケーシングの廃水処理モジュールに入れて廃水処理を行い、このとき、制御部は、モータの回転を制御し、モータが回転軸の回転を駆動し、、回転軸はターンテーブルを回転させるように駆動し、ターンテーブルが回転すると同時にターンテーブルの外輪上の第２磁石と給水管の端部の第１磁石との距離を徐々に小さくさせ、続いて、２個の磁石が吸着され、このときに給水管における制御弁を開け、給水管内の廃水は弾性フィルムを衝突しながら弾性フィルム突き上げ、このとき、給水管と給水口とが連通することにより、廃水をキャビティ内に導入し、その後、ターンテーブルが回転し続け、給水管は、ターンテーブルのキャビティ内に廃水を順番に繰り返して注入し、ターンテーブルがある位置まで回転すると、吐水ユニットと会ってそれをトリガーして作動させ、キャビティ内の処理された水を排出し、それによって廃水の持続的な処理を達成し、それと同時に、コントローラは、遠心力の作用下でキャビティ内のスライダ５２が固定棒に沿って往復スライドするように、モータの回転の間隔および速度を制御し、それにより、廃水の静止による不純物の堆積を避けるために廃水を完全に押し出して混合する。本発明では、ターンテーブルのキャビティに廃水を順次注入した後、ターンテーブルを一定サイクルで回転させ、キャビティ内の廃水を十分な時間で処理した後に導出し、廃水の処理時間に影響を与えずに廃水の持続的な処理を達成し、従って、廃水処理の効率を改善し、廃水の連続処理による処理の質を低下させる問題を避ける。
【００１０】
好ましくは、前記吐水ユニットは、バンプと、ゴムブロックと、円弧状板とを備え、前記キャビティの外輪には弧状貫通溝が設けられ、前記弧状貫通溝の両側壁にいずれもスライド溝が設けられ、前記円弧状板の一端がばねによって片側の側壁におけるスライド溝に接続され、他端がバンプに固着され、前記バンプは、ばねによって他方の対向する側壁におけるスライド溝内に接続され、前記ターンテーブルの下方に固定板が設けられ、前記ゴムブロックの下端は固定板の中央部に固着され、前記ゴムブロックの上端面が弧状に設けられ、かつゴムブロックの高さは右から左に向かって徐々に小さくなる。動作する時に、ターンテーブルが固定位置に回転すると、バンプがゴムブロックに接触し、バンプはターンテーブルからある程度の長さだけ伸び出しているため、ゴムブロックの遮断でバンプが移動しにくく、このとき、ターンテーブルは回転し続けることで、バンプをターンテーブルに対して反対方向に移動させ、それにより、接続された円弧状板を押して対応する側壁の弧状溝に沿ってスライドさせ、それによりこのキャビティの開放を達成し、このとき、開けられた弧状貫通溝内から処理された水を流出させ、ターンテーブルが回転し続けながら、円弧状板がばねを押圧し続け、ばねの反発力がゴムブロックの抵抗力より大きい場合、ばねが円弧状板およびバンプを押してゴムブロックを強制的に押圧してゴムブロックの一部を変形させ、ゴムブロックの上端面が弧状に設けられるため、バンプが強制的に押圧してゴムブロックの最高点を通過した後に遮断されず、バンプは円弧状板を駆動して戻させ、弧状貫通溝を再びシールすることを達成し、吐水ユニットを介してターンテーブル内のキャビティから順次吐水することを達成し、処理された水をリアルタイムに排出して、廃水の処理効率を向上させる。
【００１１】
好ましくは、前記固定板の右側には漏水孔が設けられ、前記ケーシングの底部には浄化ユニットが設けられ、前記浄化ユニットは、浄化ディスク、再生イオン交換樹脂フィルム、圧縮ばね、およびピラーを含み、前記浄化ディスク内に溝が設けられ、浄化ディスクの両端はいずれも圧縮ばねを介してケーシングの底壁に接続され、前記溝の底部には再生イオン交換樹脂フィルムが着脱可能に取り付けられ、ピラーの一端はケーシングの底壁に固着され、その他端は浄化ディスクの底部にヒンジ接続され、前記ケーシングの底部は導管を介して淡水導入管と連通する。動作する時に、廃水処理モジュールによって処理された水は、漏水孔から浄化ディスクに落下し、水がますます多くなるにつれて、それは一方の側に集中することになり、水の自重の下で浄化ディスクを押して片側に傾斜し、浄化ディスクは、底部の圧縮ばねの弾性力によって反発するため、浄化ディスクは左右に振られるため、水を浄化ディスク内で揺れさせ、浄化ディスクの底部には再生イオン交換樹脂フィルムが設けられているので、水の流動によって再生樹脂と水中のニッケルイオンとの交換を速やかになるように促進でき、さらに、水中のニッケルイオンの脱離を実現し、水質の再浄化を実現し、生活用水の基準に達し、しかも水源を淡水導入管に接続して水資源を節約することができる。
【００１２】
好ましくは、前記スライダの頂部にいずれもエアバッグ７が固着され、前記キャビティの内壁には２枚の弾性吸着フィルムが対称的に被覆され、前記弾性吸着フィルムは、いずれも一端が前記キャビティの側壁に固着され、他端がスライダに接続される。動作する時に、キャビティ内に注入される廃水の体積は、キャビティの容積の約３分の２であり、遠心力の作用でスライダが固定棒に沿って往復スライドすると、両側に接続された弾性吸着フィルムが揺動するように駆動し、それにより、キャビティ内の水を押し出して混合し、それと同時に、頂部のエアバッグは移動経路上の水を押し出し、水をエアバッグの両側に強制的に流れさせ、廃水処理の効率を高め、排水後のキャビティ内において、弾性吸着フィルムがスライダにつれて揺動することによって表面に付着している不純物を振り落とし、弾性吸着フィルムに付着している不純物が多すぎることによる吸着効果への影響を避ける。
【００１３】
好ましくは、隣接するキャビティの側壁には直線溝が設けられ、前記直線溝内にいずれも弾性ロープを介して可動ブロックが接続され、前記直線溝の両側の側壁にはいずれも１セットの傾斜孔が均等に分布している。動作する時には、可動ブロックが遠心力の作用で外側へスライドし、それにより直線溝に負圧を発生させて弾性吸着フィルムを吸着し、このときに遠心力の作用でスライダが固定棒に沿ってスライドし、弾性吸着フィルムは、スライダとともに移動しようとするが、直線溝内の負圧の吸着作用により、弾性吸着フィルムはスライダとともにゆっくり移動し、このとき弾性吸着フィルムに付着している不純物が強い吸引力の作用で抜き取られ、その後、傾斜孔に沿って直線溝に入ることで、不純物の回収を実現し、不純物の堆積による廃水処理効果への影響を避ける。
【００１４】
好ましくは、前記ケーシングの左側の側壁にはシリンダが固着され、前記シリンダの端部は吸着盤とヒンジ接続され、前記吸着盤には距離センサが設けられ、前記距離センサは、可動ブロックと吸着盤との間の距離を感知するために使用され、前記固定板の左側に回収ボックスがスライド可能に取り付けられ、前記回収ボックスの一端はケーシングの外へ突き出している。動作する時に、遠心力の作用で可動ブロックを直線溝から脱離させることができないので、距離センサが可動ブロックを感知すると、コントローラはシリンダの端部を急速に伸び出すように制御し、それによって吸着盤を急速に伸び出して可動ブロックに密着させ、次いでシリンダを速やかに戻させるように制御し、さらに吸着盤を介して可動ブロックを直線溝から速やかに移し出して離れるように駆動し、この過程では、直線溝に大きな負圧が瞬間的に発生し、不純物の抽出効率を高め、一方では、直線溝内の不純物を瞬時に排出することができ、その後、下方における回収ボックス内に落とし、作業員は定期的に清掃し交換する。
【発明の効果】
【００１５】
１．本発明は、ターンテーブルのキャビティに廃水を順次注入した後、ターンテーブルを一定サイクルで回転させ、キャビティ内の廃水を一定時間で処理した後に導出し、廃水の処理時間に影響を与えずに廃水の持続的な処理を達成し、従って、廃水処理の効率を改善し、廃水の連続処理による処理質を低下させる問題を避ける。
【００１６】
２．本発明は廃水処理モジュールおよび浄化ユニットとの協働で、廃水を連続的に浄化するとともに、十分な廃水処理時間を確保しながら、処理効率に影響を与えず、２回の浄化によって、水質の完全な浄化を達成し、水質汚染を防止・改善する；それと同時に、スライダを介して弾性吸着フィルムを揺動させることにより、不純物の吸着を避け、一方では、廃水の流れを促進し、処理効率を向上させることができる。
【図面の簡単な説明】
【００１７】
以下、図面によって本発明を更に説明する。
【図１】本発明の構造の模式図である。
【図２】図１におけるＡ部の部分的拡大図である。
【００１８】
ここでは、ケーシング１、硫酸導入管２、第１磁石３、淡水導入管４、廃水処理モジュール５、ターンテーブル５１、キャビティ５１１、スライダ５２、吐水ユニット５３、バンプ５３１、ゴムブロック５３２、円弧状板５３３、第２磁石５４、浄化ユニット６、浄化ディスク６１、再生樹脂フィルム６２、エアバッグ７、弾性吸着フィルム８、直線溝９、可動ブロック１０、シリンダ１１、吸着盤１２、回収ボックス１３である。
【発明を実施するための形態】
【００１９】
本発明によって達成される技術的手段、創造的特徴、達成目標、および効果を理解しやすくするために、特定の実施形態によって、本発明をさらに説明する。。
【００２０】
図１から図２に示すように，本発明によるニッケルめっき廃水用のインテリジェント浄化装置は、ケーシング１とコントローラを含み、前記コントローラは装置の自動動作を制御するために使用され、前記コントローラはケーシング１の側壁に固定的に取り付けられ、前記ケーシング１の頂部に給水管が設けられ、前記ケーシング１の底部には吐水管が設けられ、前記ケーシング１内に廃水処理モジュール５が設けられ、前記給水管に検出モジュールが設けられ、前記給水管に硫酸導入管２が連通され、前記給水管の端部に第１磁石３が設けられ、前記検出モジュールは、給水管内の廃水のＰＨ値が要件を満たすかどうかを検出するために使用され、前記硫酸導入管２には淡水導入管４が接続され、前記淡水導入管４に制御弁が取り付けられ、前記廃水処理モジュール５は廃水を浄化するために使用され、
【００２１】
前記廃水処理モジュール５は、ターンテーブル５１、モータ、回転軸、スライダ５２、固定棒および吐水ユニット５３を含み、前記ターンテーブル５１の中央部は回転軸に固着され、前記ターンテーブル５１において、１セットのキャビティ５１１が周方向に設けられ、前記回転軸は前記ケーシング１を貫通してモータに接続され、前記キャビティ５１１内にいずれも固定棒の一端が固着され、キャビティ５１１の外輪にいずれも給水口が設けられ、前記固定棒にいずれもばねによってスライダ５２に接続され、前記給水口の口外輪には第１磁石３に磁気的に吸引される第２磁石５４が設けられ、弾性フィルムが給水口の内側に設けられ、前記弾性フィルムの両端は吸水口の内輪に固着され、前記吐水ユニット５３は、キャビティ５１１内に浄化された水をケーシング１の底部に排出するために使用される。動作する時に、ニッケルめっき廃水が給水管を経てケーシング１に入ると、まず、検出モジュールによってＰＨ値が所定範囲を満たすかどうかを検出し、それが満たされていない場合は、中和するために希硫酸溶液を通す必要があり、それと同時に、希硫酸溶液と廃水とが中和した後のｐＨ値が要件を満たすように、希硫酸溶液に一定量の淡水を注入することによって、希硫酸の濃度を制御し、次いで、ケーシング１の廃水処理モジュール５に入れて廃水処理を行い、このとき、制御部は、モータの回転を制御し、モータが回転軸の回転を駆動し、回転軸はターンテーブル５１を回転させるように駆動し、ターンテーブル５１が回転すると同時にターンテーブル５１の外輪上の第２磁石５４と給水管の端部の第１磁石３との距離が徐々に小さくなり、次いで、２個の磁石が吸着され、このときに給水管における制御弁を開け、給水管内の廃水は弾性フィルムを衝突しながら弾性フィルムを突き上げ、このとき、給水管と給水口と連通することにより、廃水をキャビティ５１１内に導入し、その後、ターンテーブル５１が回転し続け、給水管は、ターンテーブル５１のキャビティ５１１内に廃水を順番に繰り返して注入し、ターンテーブル５１がある位置まで回転すると、吐水ユニット５３と会ってそれをトリガーして作動させ、キャビティ５１１内の処理された水を排出し、それによって廃水の持続的な処理を達成し、それと同時に、コントローラは、遠心力の作用下でキャビティ５１１内のスライダ５２が固定棒に沿って往復スライドするように、モータの回転の間隔および速度を制御し、それにより、廃水の静止による不純物の堆積を避けるために廃水を完全に押し出して混合する。本発明では、ターンテーブル５１のキャビティ５１１に廃水を順次注入した後、ターンテーブル５１を一定サイクルで回転させ、キャビティ５１１内の廃水を一定時間で処理した後に導出し、廃水の処理時間に影響を与えずに廃水の持続的な処理を達成し、従って、廃水処理の効率を改善し、廃水の連続的に処理による処理質を低下させる問題を避ける。
【００２２】
一つの実施形態として、前記吐水ユニット５３は、バンプ５３１と、ゴムブロック５３２と、円弧状板５３３とを備え、前記キャビティ５１１の外輪には弧状貫通溝が設けられ、前記弧状貫通溝の両側壁にいずれもスライド溝が設けられ、前記円弧状板５３３の一端がばねによって片側の側壁におけるスライド溝に接続され、他端がバンプ５３１に固着され、前記バンプ５３１は、ばねによって他方の対向する側壁におけるスライド溝内に接続され、前記ターンテーブル５１の下方に固定板が設けられ、前記ゴムブロック５３２の下端は固定板の中央部に固着され、前記ゴムブロック５３２の上端面が弧状に設けられ、かつゴムブロック５３２の高さは右から左に向かって徐々に小さくなる。動作する時に、ターンテーブル５１が固定位置に回転すると、バンプ５３１がゴムブロック５３２に接触し、バンプ５３１はターンテーブル５１からある程度の長さだけ伸び出しているため、ゴムブロック５３２の遮断でバンプ５３１が移動しにくく、このとき、ターンテーブル５１は回転し続けることで、バンプ５３１はターンテーブル５１に対して反対方向に移動し、それにより、接続された円弧状板５３３を押して対応する側壁の弧状溝に沿ってスライドさせ、それによりこのキャビティ５１１の開放を達成し、このとき、開いた弧状貫通溝内から処理された水を流出させ、ターンテーブル５１が回転し続けるにつれ、円弧状板５３３がばねを押圧し続け、ばねの反発力がゴムブロック５３２の抵抗力より大きい場合、ばねが円弧状板５３３およびバンプ５３１を押してゴムブロック５３２を強制的に押圧してゴムブロック５３２の一部を変形させ、ゴムブロック５３２の上端面が弧状に設けられるため、バンプ５３１が強制的に押圧してゴムブロック５３２の最高点を通過した後に阻止されず、バンプ５３１は円弧状板５３３を駆動して戻させ、弧状貫通溝を再びシールすることを達成し、吐水ユニット３を介してターンテーブル５１内のキャビティ５１１から順次吐水することを達成し、処理された水をリアルタイムに排出して、廃水の処理効率を向上させる。
【００２３】
一つの実施形態として、前記固定板の右側には漏水孔が設けられ、前記ケーシング１の底部には浄化ユニット６が設けられ、前記浄化ユニット６は、浄化ディスク６１、再生イオン交換樹脂フィルム６２、圧縮ばね、およびピラーを含み、前記浄化ディスク６１内に溝が設けられ、浄化ディスク６１の両端はいずれも圧縮ばねを介してケーシング１の底壁に接続され、前記溝の底部には再生イオン交換樹脂フィルム６２が着脱可能に取り付けられ、ピラーの一端はケーシング１の底壁に固着され、その他端は浄化ディスク６１の底部にヒンジ接続され、前記ケーシング１の底部は導管を介して淡水導入管４と連通する。動作する時に、廃水処理モジュール５によって処理された水は、漏水孔から浄化ディスク６１に落下し、水がますます多くなるにつれて、それは一方の側に集中することになり、水の自重で浄化ディスク６１を押して片側に傾斜し、浄化ディスク６１は、底部の圧縮ばねの弾性力によって反発するため、浄化ディスク６１は左右に振られ、それにより、水が浄化ディスク６１内で揺れ、浄化ディスク６１の底部には再生イオン交換樹脂フィルム６２が設けられているため、水の流動によって再生樹脂と水中のニッケルイオンとの交換を速やかになるように促進でき、さらに、水中のニッケルイオンの脱離を実現し、水質の再浄化を実現し、生活用水の基準に達し、しかも水源を淡水導入管４に接続して水資源を節約することができる。
【００２４】
一つの実施形態として、前記スライダ５２の頂部にいずれもエアバッグ７が固着され、前記キャビティ５１１の内壁には２枚の弾性吸着フィルム８が対称的に被覆され、前記弾性吸着フィルム８は、いずれも一端が前記キャビティ５１１の側壁に固着され、他端がスライダ５２に接続される。動作する時に、キャビティ５１１内に注入される廃水の体積は、キャビティ５１１の容積の約３分の２であり、遠心力の作用でスライダ５２が固定棒に沿って往復スライドすると、両側に接続された弾性吸着フィルム８が揺動するように駆動し、それにより、キャビティ５１１内の水を押し出して混合し、それと同時に、頂部エアバッグ７は移動経路上の水を押し出し、水をエアバッグ７の両側に強制的に流れさせ、廃水処理の効率を高め、排水後のキャビティ５１１内において、弾性吸着フィルム８がスライダ５２につれて揺動することによって表面に付着している不純物を振り落とし、弾性吸着フィルム８に付着している不純物が多すぎることによる吸着効果への影響を避ける。
【００２５】
一つの実施形態として、隣接するキャビティ５１１の側壁には直線溝９が設けられ、前記直線溝９内にいずれも弾性ロープを介して可動ブロック１０が接続され、前記直線溝９の両側の側壁にはいずれも１セットの傾斜孔が均等に分布している。。動作する時には、可動ブロック１０が遠心力の作用で外側へスライドし、それにより直線溝９に負圧が発生して弾性吸着フィルム８を吸着し、このときに遠心力の作用でスライダ５２が固定棒に沿ってスライドし、弾性吸着フィルム８は、スライダ５２とともに移動しようとするが、直線溝９内の負圧の吸着作用により、弾性吸着フィルム８はスライダ５２とともにゆっくり移動し、このとき弾性吸着フィルム８に付着している不純物が強い吸引力の作用で抜き取られ、その後、傾斜孔に沿って直線溝９に入ることで、不純物の回収を実現し、不純物の堆積による廃水処理効果への影響を避ける。
【００２６】
一つの実施形態として、前記ケーシング１の左側の側壁にはシリンダ１１が固着され、前記シリンダ１１の端部は吸着盤１２にヒンジ接続され、前記吸着盤１２には距離センサが設けられ、前記距離センサは、可動ブロック１０と吸着盤１２との間の距離を感知するために使用され、前記固定板の左側に回収ボックス１３がスライド可能に取り付けられ、前記回収ボックス１３の一端はケーシング１の外へ突き出している。動作する時に、遠心力の作用で可動ブロック１０を直線溝９から脱離させることができないため、距離センサが可動ブロック１０を感知すると、コントローラはシリンダ１１の端部を急速に伸び出すように制御し、それによって吸着盤１２を急速に伸び出して可動ブロック１０に密着させ、次いでシリンダ１１を速やかに戻させるように制御し、さらに吸着盤１２を介して可動ブロック１０を直線溝９から速やかに移し出して離すように駆動し、この過程では、直線溝９に大きな負圧が瞬間的に発生し、不純物の抽出効率を高め、一方では、直線溝９内の不純物を瞬時に排出することができ、その直後、下方における回収ボックス１３内に落とし、作業員は定期的に清掃し交換する。
【００２７】
動作する時に、ニッケルめっき廃水が給水管を介してケーシング１に入ると、まず、検出モジュールによってＰＨ値が所定範囲を満たすかどうかを検出し、それが満たされていない場合は、中和のために希硫酸溶液を通す必要があり、それと同時に、希硫酸溶液と廃水とが中和した後のｐＨ値が要件を満たすように、希硫酸溶液に一定量の淡水を注入することによって、希硫酸の濃度を制御し、次いで、ケーシング１の廃水処理モジュール５に入れて廃水処理を行い、このとき、制御部は、モータの回転を制御し、モータが回転軸の回転を駆動し、、回転軸はターンテーブル５１を回転させるように駆動し、ターンテーブル５１が回転すると同時にターンテーブル５１の外輪上の第２磁石５４と給水管の端部の第１磁石３との距離が徐々に小さくなり、続いて、２個の磁石が吸着され、このときに給水管における制御弁を開け、給水管内の廃水は弾性フィルムを衝突しながら弾性フィルムを突き上げ、このとき、給水管と給水口とが連通することにより、廃水をキャビティ５１１内に導入し、その後、ターンテーブル５１が回転し続け、給水管は、ターンテーブル５１のキャビティ５１１内に廃水を順番に繰り返して注入し、ターンテーブル５１がある位置まで回転すると、吐水ユニット５３と会ってそれをトリガーして作動させ、キャビティ５１１内の処理された水を排出し、それによって廃水の持続的な処理を達成し、それと同時に、コントローラは、遠心力の作用下でキャビティ５１１内のスライダ５２が固定棒に沿って往復スライドするように、モータの回転の間隔および速度を制御し、それにより、廃水の静止による不純物の堆積を避けるために廃水を完全に押し出して混合する。本発明では、ターンテーブル５１のキャビティ５１１に廃水を順次注入した後、ターンテーブル５１を一定サイクルで回転させ、キャビティ５１１内の廃水を一定時間で処理した後に導出し、廃水の処理時間に影響を与えずに廃水の持続的な処理を達成し、従って、廃水処理の効率を改善し、廃水の連続処理による処理質を低下させる問題を避ける。
【００２８】
以上のように、本発明の基本原理、主な特徴および利点が示され説明される。当業者であれば、本発明が上記の実施形態によって限定されず、前述の実施形態および明細書の記載は、本発明の原理を説明するためのものにすぎず、本発明の精神および範囲を逸脱することなく、本発明は、様々な変更および改良を加えることができ、これらの変更および改良は、保護しようとする本発明の範囲内に含まれるものであると理解べきである。本発明の保護範囲は、添付の特許請求の範囲およびそれらの均等物によって定義される。
【図１】
2020138192.tif 000003
【図２】
2020138192.tif 000004